(57)【特許請求の範囲】
【請求項１】
建物内の空間における環境を調整する複数の環境調整機器を連動させる環境連動制御装置であって、
個人の好みの環境の状態を示す環境好み情報を記憶する記憶部と、
前記空間に存在する個人の前記環境好み情報を前記記憶部から読み出す環境好み情報取得部と、
前記環境好み情報取得部が読み出した前記環境好み情報に基づいて目標の温熱環境の状態を決定するとともに、温熱環境とは異なる環境の前記環境調整機器を異なる状態に制御したときに生じる熱負荷を算出し、算出した前記熱負荷が生じている条件下で温熱環境の前記環境調整機器が前記空間を前記目標の温熱環境の状態に調整したときの予測消費電力を得る消費電力計算部と、
前記消費電力計算部によって得られた前記予測消費電力が最小であるときの状態とするように温熱環境とは異なる環境の前記環境調整機器を制御するとともに、前記空間を前記目標の温熱環境の状態に調整するよう温熱環境の前記環境調整機器を制御する制御指示部と、
を備えることを特徴とする環境連動制御装置。
【請求項２】
消費電力計算部は、前記環境好み情報取得部が読み出した前記環境好み情報に基づいて目標の温熱環境の状態及び目標の他の環境の状態を決定するとともに、温熱環境とは異なる環境の前記環境調整機器を異なる状態に制御したときに生じる熱負荷及び他の環境の状態を算出し、算出した前記熱負荷が生じている条件下で温熱環境の前記環境調整機器が前記空間を前記目標の温熱環境の状態に調整したときの予測消費電力と、算出した前記他の環境の状態が生じている条件下で他の環境の前記環境調整機器が前記空間を前記目標の他の環境の状態となるように調整したときの予測消費電力とを得、
前記制御指示部は、前記消費電力計算部によって得られた前記予測消費電力の合計が最小であるときの状態とするように温熱環境とは異なる環境の前記環境調整機器を制御し、前記空間を前記目標の温熱環境の状態に調整するよう温熱環境の前記環境調整機器を制御し、前記空間を前記目標の他の環境の状態に調整するよう他の環境の前記環境調整機器を制御する、
ことを特徴とする請求項１に記載の環境連動制御装置。
【請求項３】
前記温熱環境とは異なる環境と前記他の環境の少なくとも一方は、光環境であることを特徴とする請求項１または請求項２に記載の環境連動制御装置。
【請求項４】
前記制御指示部は、さらに、前記空間に存在する前記個人の位置に設置されている前記環境調整機器を、当該個人の前記環境好み情報により示される環境の状態に応じて制御する、
ことを特徴とする請求項１から請求項３のいずれか１項に記載の環境連動制御装置。
【発明の詳細な説明】
【技術分野】
【０００１】
本発明は、建物内に設置された複数の環境調整機器を制御する環境連動制御装置に関する。
【背景技術】
【０００２】
家庭やオフィスなどに設置された環境調整機器を、センサによる環境の検出結果によって制御する技術がある。このような技術には、人感センサの検出結果に基づいて照明や空調をオンあるいはオフにする技術（例えば、特許文献１参照。）、日射量センサの検出結果に基づいてブラインド採光を制御する技術（例えば、特許文献２参照。）、温度センサの検出結果に基づいて温熱制御を行なう技術などがある。
【先行技術文献】
【特許文献】
【０００３】
【特許文献１】特開２００７−５７１０６号公報
【特許文献２】特開２０１０−１０８６５１号公報
【発明の概要】
【発明が解決しようとする課題】
【０００４】
上述した従来技術は、いずれも１ないし複数のセンサによる検出結果から、環境調整機器を個々に制御するものである。しかし、ある環境調整機器の制御によって生じた環境の変化は、他の環境調整機器の運転時の負荷に影響を与えることがある。この負荷が大きいほど、環境調整機器の運転に必要なエネルギーは増加する。
【０００５】
本発明は、このような事情を考慮してなされたものであり、エネルギー消費量が少なくなるように建物内の複数の環境調整機器を連動して制御する環境連動制御装置を提供する。
【課題を解決するための手段】
【０００６】
本発明の一態様は、建物内の空間における環境を調整する複数の環境調整機器を連動させる環境連動制御装置であって、個人の好みの環境の状態を示す環境好み情報を記憶する記憶部と、前記空間に存在する個人の前記環境好み情報を前記記憶部から読み出す環境好み情報取得部と、前記環境好み情報取得部が読み出した前記環境好み情報に基づいて目標の温熱環境の状態を決定するとともに、温熱環境とは異なる環境の前記環境調整機器を異なる状態に制御したときに生じる熱負荷を算出し、算出した前記熱負荷が生じている条件下で温熱環境の前記環境調整機器が前記空間を前記目標の温熱環境の状態に調整したときの予測消費電力を得る消費電力計算部と、前記消費電力計算部によって得られた前記予測消費電力が最小であるときの状態とするように温熱環境とは異なる環境の前記環境調整機器を制御するとともに、前記空間を前記目標の温熱環境の状態に調整するよう温熱環境の前記環境調整機器を制御する制御指示部と、を備えることを特徴とする環境連動制御装置である。
【０００７】
本発明の一態様は、上述する環境連動制御装置であって、消費電力計算部は、前記環境好み情報取得部が読み出した前記環境好み情報に基づいて目標の温熱環境の状態及び目標の他の環境の状態を決定するとともに、温熱環境とは異なる環境の前記環境調整機器を異なる状態に制御したときに生じる熱負荷及び他の環境の状態を算出し、算出した前記熱負荷が生じている条件下で温熱環境の前記環境調整機器が前記空間を前記目標の温熱環境の状態に調整したときの予測消費電力と、算出した前記他の環境の状態が生じている条件下で他の環境の前記環境調整機器が前記空間を前記目標の他の環境の状態となるように調整したときの予測消費電力とを得、前記制御指示部は、前記消費電力計算部によって得られた前記予測消費電力の合計が最小であるときの状態とするように温熱環境とは異なる環境の前記環境調整機器を制御し、前記空間を前記目標の温熱環境の状態に調整するよう温熱環境の前記環境調整機器を制御し、前記空間を前記目標の他の環境の状態に調整するよう他の環境の前記環境調整機器を制御する、ことを特徴とする。
【０００８】
本発明の一態様は、上述する環境連動制御装置であって、前記温熱環境とは異なる環境と前記他の環境の少なくとも一方は、光環境であることを特徴とする。
【０００９】
本発明の一態様は、上述する環境連動制御装置であって、前記制御指示部は、さらに、前記空間に存在する前記個人の位置に設置されている前記環境調整機器を、当該個人の前記環境好み情報により示される環境の状態に応じて制御する、ことを特徴とする。
【発明の効果】
【００１０】
本発明によれば、エネルギー消費量が少なくなるように建物内の複数の環境調整機器を連動して制御することができる。
【図面の簡単な説明】
【００１１】
【図１】本発明の一実施形態による環境連動制御システムの構成を示すブロック図である。
【図２】同実施形態による個人位置検出装置の処理フローを示す図である。
【図３】同実施形態による機器連動制御装置の処理フローを示す図である。
【図４】同実施形態による機器連動制御装置の処理例を説明するための図である。
【発明を実施するための形態】
【００１２】
以下、図面を参照しながら本発明の実施形態を詳細に説明する。
【００１３】
図１は、本発明の一実施形態による環境連動制御システムの構成を示すブロック図である。同図に示すように、環境連動制御システムは、検出装置１０、個人位置検出装置２０及び機器連動制御装置３０からなる環境連動制御装置１と、建物内の空間における環境を調整する複数の環境調整機器５０と、各環境調整機器５０を制御する機器制御装置４０とを備えて構成される。ここでは、環境を調整する対象の建物内の空間をビルなどのオフィススペース（以下、単に「オフィス」と記載する。）として説明する。
【００１４】
環境調整機器５０は、光環境を制御するブラインド５０ａ及び照明５０ｂ、ならびに、温熱環境を制御する空調５０ｃである。ブラインド５０ａの機器制御装置４０をブラインド制御装置４０ａ、照明５０ｂの機器制御装置４０を照明制御装置４０ｂ、空調５０ｃの機器制御装置４０を空調制御装置４０ｃとする。ブラインド５０ａは、自動採光型電動ブラインドであり、オフィスの窓に設置される。照明５０ｂは、調光照明であり、オフィス内の各個人の座席や会議スペースなどの上部に設置される。空調５０ｃは、全面床吹空調であり、吹出口５１ｃは、各個人の座席や会議スペースの足元などに設定される床吹出口である。
【００１５】
検出装置１０は、オフィス内の各個人の座席や会議スペースなどに設置され、在室者を検出して個人位置検出装置２０に通知する。検出装置１０には、例えば、各個人が携帯するＩＣカードなどに備えられるＩＣタグから、個人を特定する情報である個人ＩＤを読み出すＩＣタグリーダを用いることができる。この場合、各検出装置１０は、ＩＣタグを読取可能な範囲が重ならないように設置される。
【００１６】
個人位置検出装置２０は、サーバなどのコンピュータ装置により実現することができ、記憶部２１、検出情報受信部２２、位置取得部２３、環境好み情報取得部２４、及び、通知部２５を備えて構成される。
記憶部２１は、各検出装置１０が設置されている位置を示す設置位置情報と、各個人の好みの環境の状態を示す環境好み情報を記憶する。環境好み情報には、好みの光環境状態、及び、温熱環境状態を示す情報が含まれる。検出情報受信部２２は、検出装置１０から在室者を特定する情報を受信する。位置取得部２３は、在室者を検出した検出装置１０が設置されている位置を記憶部２１から読み出す。この検出装置１０の位置は、当該検出装置１０が検出した在室者の位置に相当する。環境好み情報取得部２４は、検出装置１０が検出した在室者の環境好み情報を記憶部２１から読み出す。通知部２５は、位置取得部２３が取得した位置と、当該位置の検出装置１０が検出した在室者について環境好み情報取得部２４が読み出した環境好み情報とを対応づけて機器連動制御装置３０へ送信する。
【００１７】
機器連動制御装置３０は、サーバなどのコンピュータ装置により実現することができ、記憶部３１、環境好み情報受信部３２、室内条件受信部３３、外気条件受信部３４、消費電力計算部３５、及び、制御指示部３６を備えて構成される。
記憶部３１は、消費電力情報及び機器位置情報を記憶する。消費電力情報は、調光率と照明５０ｂの消費電力とを対応付けた照明消費電力情報、及び、熱負荷と空調５０ｃの消費電力とを対応付けた空調消費電力情報を含む。機器位置情報は、環境調整機器５０が設置されている位置を示す情報である。環境好み情報受信部３２は、個人位置検出装置２０から在室者の環境好み情報及び当該在室者の位置を受信する。室内条件受信部３３は、オフィスに設置されているセンサが検出したオフィス内の環境の計測値を受信する。外気条件受信部３４は、オフィスの建物の外に設置されているセンサが検出した外気の環境の計測値を受信する。
【００１８】
消費電力計算部３５は、環境好み情報受信部３２が受信した環境好み情報に基づいて目標となる光環境状態及び温熱環境状態を得るとともに、ブラインド５０ａの状態を変化させたときのオフィス全体の昼光照度及び日照熱負荷を算出する。消費電力計算部３５は、記憶部３１に記憶されている消費電力情報を参照し、ブラインド５０ａの状態を変化させた場合に、オフィスが目標の光環境状態となるように照明５０ｂを稼動させたときの消費電力及びオフィスが目標の温熱環境状態となるように空調５０ｃを稼動させたときの消費電力を読み出して合算し、予測総消費電力を得る。
【００１９】
制御指示部３６は、消費電力計算部３５が算出した予測総消費電力の中で最も電力が少ないときのブラインド状態を選択し、選択したブラインド状態にブラインド５０ａを制御するようブラインド制御装置４０ａに指示を送信する。さらに、制御指示部３６は、在室者がいない位置の照明５０ｂを、目標の光環境状態となるよう制御するとともに、在室者の位置の照明５０ｂを当該在室者の環境好み情報で示される光環境状態となるよう制御するための指示を照明制御装置４０ｂに送信する。また、目標の温熱環境状態となるよう空調５０ｃを制御するとともに、在室者の位置の空調５０ｃの吹出口５１ｃを当該在室者の環境好み情報で示される温熱環境状態に応じて制御するための指示を空調制御装置４０ｃに送信する。
【００２０】
機器制御装置４０は、機器連動制御装置３０から受信した指示に従って環境調整機器５０を制御する。
【００２１】
次に、環境連動制御システムの動作について説明する。
図２は、環境連動制御システムにおける個人位置検出装置２０の処理フローを示す図である。個人位置検出装置２０の記憶部２１には、予め、各検出装置１０を特定する検出装置ＩＤとオフィス内の位置を特定する位置ＩＤとを対応づけた設置位置情報を登録しておく。加えて、記憶部２１には、個人を一意に特定する個人ＩＤと環境好み情報とを対応付けて登録しておく。環境好み情報は、各個人の好みの照度及び空調温度を示す。
【００２２】
各検出装置１０は、一定時間毎に、在室者が携帯するＩＣカードなどに備えられているＩＣタグから個人ＩＤを読み出し、読み出した個人ＩＤと自装置の検出装置ＩＤとを個人位置検出装置２０へ送信する。個人位置検出装置２０の検出情報受信部２２は、各検出装置１０から個人ＩＤ及び検出装置ＩＤを受信する（ステップＳ１０５）。位置取得部２３は、ステップＳ１０５において受信した検出装置ＩＤをキーにして、記憶部２１に記憶されている設置位置情報から位置ＩＤを読み出す（ステップＳ１１０）。続いて、環境好み情報取得部２４は、ステップＳ１０５において受信した個人ＩＤに対応して記憶されている環境好み情報を記憶部２１から読み出す（ステップＳ１１５）。通知部２５は、ステップＳ１１０において読み出した位置ＩＤと、ステップＳ１１５において読み出した環境好み情報とを対応づけた情報を機器連動制御装置３０へ送信する（ステップＳ１２０）。
【００２３】
図３は、環境連動制御システムにおける機器連動制御装置３０の処理フローを示す図である。機器連動制御装置３０の記憶部３１には、予め、消費電力情報及び機器位置情報を登録しておく。消費電力情報は、調光率と照明５０ｂの消費電力とを対応付けた照明消費電力情報、及び、熱負荷と空調５０ｃの消費電力とを対応付けた空調消費電力情報を含む。機器位置情報は、各照明５０ｂを特定する照明ＩＤと位置ＩＤとを対応付けた情報、及び、空調５０ｃの吹出口５１ｃを特定する吹出口ＩＤと位置ＩＤとを対応づけた情報を含む。
【００２４】
機器連動制御装置３０の環境好み情報受信部３２は、個人位置検出装置２０から位置ＩＤ及び環境好み情報を受信する（ステップＳ２０５）。消費電力計算部３５は、ステップＳ２０５において受信した全ての環境好み情報から照度及び空調温度を読み出して照度の平均値と空調温度の平均値を算出し、これらをそれぞれ目標の照度、目標の空調温度とする（ステップＳ２１０）。
【００２５】
消費電力計算部３５は、室内条件受信部３３が検出したオフィスの環境の計測値と、外気条件受信部３４が検出した外気の環境の計測値を用いて、ブラインド５０ａを異なる状態にしたときの現時刻におけるオフィス全体の照度及び熱負荷を算出する（ステップＳ２１５）。昼光照度の算出には、例えば、特開２００８−２６６９００号に記載の技術や、http://www.yp-i.co.jp/program/soft_daylighting.htmlに記載の技術などを用いることができる。また、熱負荷の算出には、例えば、特開２００８−２６６９００号に記載の技術や、http://www.serl.co.jp/product/assist/about_note.htmlに記載の技術などを用いることができる。
【００２６】
特開２００８−２６６９００号に記載の技術を用いる場合、消費電力計算部３５は、現在時刻や建物の緯度及び経度から得られる太陽の高度及び方位と、オフィスの窓面の方位からプロファイル角を算出する。次に、消費電力計算部３５は、プロファイル角、オフィスの窓の面積、ブラインド状態に対応した直達日射遮蔽係数及び拡散日射遮蔽係数、全天日射量などに基づいて直射日光及び散乱日射によるオフィス内へ日射負荷を算出する。さらに、消費電力計算部３５は、外気温と室温の差、窓の面積、及び、ブラインド状態に対応した熱貫流率により室内から室外への熱貫流量を算出し、熱貫流量から日射負荷を減算して熱損失（熱負荷）を算出する。
また、消費電力計算部３５は、直射日光及び散乱日射の日射量、プロファイル角、オフィスの形状から直接照度及び天空照度を算出し、この算出した直接照度及び天空照度、ブラインド状態に対応した反射（ブラインド輝度分布関数）などからオフィス内に直接入る光の照度、床に反射する光の照度、天井に反射する光の照度を考慮したオフィス内の昼光照度を算出する。
算出の際に用いる室温は室内条件受信部３３により、外気温及び全天日射量は外気条件受信部３４により得る。また、建物や窓に関する情報、ブラインド状態に基づく直達日射遮蔽係数及び拡散日射遮蔽係数、熱貫流率、反射など、昼間照度及び熱負荷の算出の際に用いる設定値は記憶部３１に予め登録しておく。
なお、昼光照度及び熱負荷の算出方法については、上記に限らず、既存の任意の技術を適用することができる。
【００２７】
次に、消費電力計算部３５は、目標の照度と、各ブラインド状態に対応して算出した昼光照度それぞれのとの差を算出し、目標の照度にするために照明５０ｂが補わなければならない照度である調光率を算出する。消費電力計算部３５は、各ブラインド状態について算出した調光率それぞれに対応した消費電力を記憶部３１の照明消費電力情報から読み出す（ステップＳ２２０）。
さらに、消費電力計算部３５は、各ブラインド状態に対応して算出した熱負荷それぞれを用いて、空調５０ｃを目標の空調温度とするための熱負荷を算出する。消費電力計算部３５は、この算出した熱負荷に対応した消費電力を記憶部３１の空調消費電力情報から読み出す（ステップＳ２２５）。
【００２８】
消費電力計算部３５は、各ブラインド状態について、照明５０ｂの消費電力と空調５０ｃの消費電力を合計して予測総消費電力を算出する（ステップＳ２３０）。制御指示部３６は、ステップＳ２３０において算出した中で最も低い予測総消費電力に対応したブラインド状態をブラインド５０ａの制御値として選択する（ステップＳ２３５）。制御指示部３６は、ステップＳ２３５において選択したブラインド状態を制御値として設定したブラインド制御情報をブラインド制御装置４０ａに送信する（ステップＳ２４０）。
ブラインド制御装置４０ａは、受信したブラインド制御情報に設定されているブラインド状態によりブラインド５０ａを制御する。
【００２９】
制御指示部３６は、照明５０ｂ全体の調光率と、個別制御対象の照明５０ｂ及びその調光率とを設定した照明制御情報を照明制御装置４０ｂに送信する（ステップＳ２４５）。照明５０ｂ全体の調光率として、ステップＳ２１０において算出した目標の照度と、ステップＳ２３５において選択したブラインド状態について算出した昼光照度との差が設定される。また、個別制御対象の照明５０ｂとして、ステップＳ２０５において受信した位置ＩＤに対応して記憶部３１に記憶されている機器位置情報から読み出した照明ＩＤが設定され、個別制御対象の照明５０ｂの調光率として、当該位置ＩＤに対応した環境好み情報が示す照度と、ステップＳ２３５において選択したブラインド状態について算出した昼光照度との差が設定される。
照明制御装置４０ｂは、照明制御情報に含まれる照明ＩＤにより特定される照明５０ｂの調光率を当該照明ＩＤに対応した調光率に制御し、他の全ての照明５０ｂを当該照明制御情報が示す照明５０ｂ全体の調光率に制御する。
【００３０】
続いて制御指示部３６は、空調５０ｃの空調温度と、個別制御対象の吹出口５１ｃ及びその制御内容とを設定した空調制御情報を空調制御装置４０ｃに送信する（ステップＳ２５０）。空調５０ｃの空調温度は、ステップＳ２１０において算出した目標の温度である。また、個別制御対象の吹出口５１ｃ及びその制御は、以下のように決定して空調制御情報に設定する。
【００３１】
空調５０ｃが冷房運転している場合、制御指示部３６は、ステップＳ２０５において受信した位置ＩＤのうち、当該位置ＩＤに対応した環境好み情報により示される好みの空調温度が、ステップＳ２１０において算出した目標の空調温度よりも低い位置ＩＤを抽出する。一方、空調５０ｃが暖房運転している場合、制御指示部３６は、ステップＳ２０５において受信した位置ＩＤのうち、当該位置ＩＤに対応した環境好み情報により示される好みの空調温度が、ステップＳ２１０において算出した目標の空調温度よりも高い位置ＩＤを抽出する。制御指示部３６は、個別制御対象の吹出口５１ｃ及びその制御内容として、抽出した位置ＩＤに対応して記憶部３１が記憶されている機器位置情報から読み出した吹出口ＩＤと、吹出口オープンとを空調制御情報に設定する。好みの空調温度と目標の空調温度との差分に対応した風量を制御量としてもよい。なお、空調５０ｃが冷房運転しているか暖房運低しているかの情報は、予め記憶部３１に登録するか、空調制御装置４０ｃから取得する。
空調制御装置４０ｃは、空調５０ｃを受信した空調制御情報が示す空調温度により制御し、さらに、空調制御情報により示される吹出口ＩＤにより特定される吹出口５１ｃを制御内容に従ってオープンする。
【００３２】
図４は、機器連動制御装置３０による具体的な制御例を示す図である。
オフィスにＡさん、Ｂさん、及び、Ｃさんが在室している場合、機器連動制御装置３０の環境好み情報受信部３２は、Ａさんの環境好み情報「照度５００ルクス（ｌｘ）、空調温度２８度」、Ｂさんの環境好み情報「照度７００ルクス、空調温度２６度」、及び、Ｃさんの環境好み情報「照度３５０ルクス、空調温度２９度」を受信する。消費電力計算部３５は、Ａさん、Ｂさん、Ｃさんの好みの照度の平均「５１７ルクス」を目標の照度とし、Ａさん、Ｂさん、Ｃさんの好みの空調温度の平均「２７．７度」を目標の空調温度とする。
【００３３】
消費電力計算部３５は、ブラインド５０ａのスラット角度を自動採光、全閉、水平１８０度としたときの昼光照度及び熱負荷を算出する。自動採光は、その時刻の太陽光に併せて自動調整したスラット角度である。また、全閉は、床に対して垂直なスラット角度であり、水平１８０度は、床に対して水平なスラット角度である。算出の結果、自動採光の場合「昼光照度４００ルクス、熱負荷１５００」、全閉の場合「昼光照度１２０ルクス、熱負荷８００」、水平１８０度の場合「昼光照度５５０ルクス、熱負荷１８５０」が得られる。
【００３４】
消費電力計算部３５は、スラット角度が自動採光、全閉、水平１８０度であるときのそれぞれの昼光照度に基づいて、各スラット角度について、目標の照度「５１７ルクス」とするために不足している照度である調光率を求め、その調光率に対応した照明５０ｂの消費電力を得る。さらに、消費電力計算部３５は、スラット角度が自動採光、全閉、水平１８０度であるときのそれぞれの熱負荷に基づいて、各スラット角度について、目標の空調温度「２７．７度」とするために必要な熱負荷を求め、その熱負荷に対応した空調５０ｃの消費電力を得る。消費電力計算部３５が、各スラット角度について照明５０ｂの消費電力と空調５０ｃの消費電力を合計して予測の総消費電力を算出した結果、自動採光の場合「３．５ｋＷ（キロワット）」、全閉の場合「４．２ｋＷ」、水平１８０度の場合「４．０ｋＷ」が得られる。よって、予測の総消費電力が最も低い自動採光が選択される。
【００３５】
制御指示部３６は、ブラインド５０ａのスラットの角度を自動採光で制御するようブラインド制御装置４０ａへ指示する。
また、制御指示部３６は、自動採光の場合の昼光照度は「４００ルクス」、目標の照度が「５１７ルクス」であるため、オフィス全体の照明５０ｂを「＋１１７ルクス」（＝５１７ルクス−４００ルクス）とするよう照明制御装置４０ｂへ指示する。加えて、Ａさんの好みの照度は「５００ルクス」であるため、制御指示部３６は、Ａさんの真上の照明５０ｂを「＋１００ルクス」とするように照明制御装置４０ｂへ指示する。同様にして、Ｂさんの真上の照明５０ｂを「＋３００ルクス」、Ｃさんの真上の照明５０ｂを「−５０ルクス」とするように照明制御装置４０ｂへ指示する。
さらに、制御指示部３６は、目標の空調温度「２７．７度」に空調５０ｃを制御し、空調５０ｃが冷房運転であるため、この目標の空調温度よりも好みの空調温度が低いＢさんの足元の吹出口５１ｃをオープンするよう、空調制御装置４０ｃに指示する。
【００３６】
上述した実施形態では、個人ＩＤをＩＣタグから読み取って在室者を特定しているが、他の方法により在室者を特定してもよい。
例えば、検出装置１０をコンピュータ端末とし、個人がユーザＩＤとパスワードを入力し、認証された場合に、この入力されたユーザＩＤを個人ＩＤとして個人位置検出装置２０に送信する。あるいは、検出装置１０に、声、指紋などの生体情報を入力して個人認証を行い、個人を特定する。
【００３７】
また、個人の在席が固定である場合、検出装置１０には、例えば、人感センサなど人の存在を検出するセンサを用いることができる。個人位置検出装置２０の記憶部２１には、検出装置１０が設置されている位置と、その位置を在席場所とする個人の環境好み情報を対応付けて記憶しておく。これにより、環境好み情報取得部２４は、位置取得部２３が取得した位置に対応した環境好み情報を記憶部２１から読み出す。
あるいは、個人位置検出装置２０の記憶部２１に各個人のスケジュールとして作業場所を登録しておき、位置取得部２３は現在時刻に対応して登録されている作業場所がオフィス内を示していれば在室者と判断する。この場合、在室者の位置は、当該在室者の座席、または、スケジュールに登録されている作業場所とすることができる。
【００３８】
また、機器連動制御装置３０の制御指示部３６が機器制御装置４０の機能を有し、制御指示部３６から各環境調整機器５０を直接制御してもよい。
【００３９】
なお、上記実施形態では、図３のステップＳ２１０において、目標の照度をステップＳ２０５において受信した全ての環境好み情報の照度の平均、目標の空調温度を全ての環境好み情報の空調温度の平均としているが、他の方法により目標の照度、空調温度を決定してもよい。例えば、優先度の高い環境好み情報に優先であることを示す情報を付加しておく。そして、消費電力計算部３５は、ステップＳ２０５において受信した環境好み情報に優先が設定されていれば、この優先が設定されている環境好み情報が示す好みの照度及び空調温度を目標の照度及び空調温度とする。あるいは、ステップＳ２０５において受信した環境好み情報に設定されている中で、最も高いあるいは低い照度を目標の照度にし、最も高いあるいは低い空調温度を目標の空調温度としてもよい。
【００４０】
以上説明した本実施形態によれば、エネルギー消費量が少なくなるように建物内の光環境及び温熱環境の環境調整機器を連動して制御することができる。
オフィスのブラインドを開けることによって、オフィス内に外からの日射を取り入れ、照明を補うことができる。よって、目標とする明るさとするために照明自体が発生させなければならない光量を減少させることができるため、照明にかかる電力を減少させることができる。しかし、日射を入れることによって同時にオフィス内の熱負荷が増大する。熱負荷が増えると、空調の負荷が増大する可能性があり、その場合消費される電力が増大する。一方、ブラインドを閉めることによってその逆の現象が発生する。つまり、オフィス内に取り入れられる日射が減少して目標とする明るさとするために照明自体が発生させなければならない光量が増加し、照明にかかる電力が増加する一方、オフィス内の熱負荷が減少し、空調に消費される電力が減少する。そこで、本実施形態では、日射を入れた場合と、入れなかった場合との間で、トータルの消費エネルギーが最も低くなるときの光環境及び温熱環境の環境調整機器の制御状態を決定している。つまり、光環境の環境調整機器の状態を変化させることによって生じる光環境の変化だけでなく、それに伴って変化し、かつ、エネルギー消費量に影響を与える大きな要因の１つである熱負荷をも考慮しているため、光環境及び温熱環境という異なる環境を制御する環境調整機器全体においてエネルギー消費量が最も少なくなる制御状態を選択することができる。
【００４１】
このように、本実施形態では、単独の環境調整機器を制御する既存の制御システムでは実現できなかった、光環境と温熱環境の環境調整機器を連動した制御が可能となる。よって、既存の制御システムを複数導入する場合と比較して、効率的環境調整機器を制御することができ、コスト削減にもつながる。
そして、消費エネルギーを抑えるように複数の環境調整機器を制御することができることに加え、各在室者の好みに合わせて、当該在室者の位置の照明や空調の吹出口を制御し、個人の快適性をも満たすことができる。
【００４２】
なお、上述の個人位置検出装置２０、機器連動制御装置３０、及び、機器制御装置４０は、内部にコンピュータシステムを有している。そして、個人位置検出装置２０の位置取得部２３、環境好み情報取得部２４及び通知部２５、機器連動制御装置３０の環境好み情報受信部３２、消費電力計算部３５及び制御指示部３６、ならびに、機器制御装置４０の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００４４】
１・・・環境連動制御装置
１０…検出装置
２０…個人位置検出装置
２１…記憶部
２２…検出情報受信部
２３…位置取得部
２４…環境好み情報取得部
２５…通知部
３０…機器連動制御装置
３１…記憶部
３２…環境好み情報受信部
３３…室内条件受信部
３４…外気条件受信部
３５…消費電力計算部
３６…制御指示部
４０…機器制御装置
４０ａ…ブラインド制御装置
４０ｂ…照明制御装置
４０ｃ…空調制御装置
５０…環境調整機器
５０ａ…ブラインド
５０ｂ…照明
５０ｃ…空調
５１ｃ…吹出口
【図１】
0005440872.tif 000002
【図２】
0005440872.tif 000003
【図３】
0005440872.tif 000004
【図４】
0005440872.tif 000005